(57)【要約】【課題】被転写体に保護層を転写した転写済の転写シートに残る印字部の凹凸パターンを消去する。【解決手段】熱転写システム１０は被転写体１４に保護層３を転写した転写済の転写シート１３を巻取る巻取部２１と、巻取部２１近傍に設けられ転写シート１３の支持層１を加熱する加熱装置２２とを有する。加熱装置２２により転写シート１３の支持層１を加熱して、支持層１を熱収縮させて新たなしわを形成し、支持層に残る印字部１４ａの凹凸形状を消去する。【選択図】図１
2018043445.tif 000002
【特許請求の範囲】
【請求項１】
少なくとも支持層と保護層とを有する転写シートを用いて、被転写体に対して保護層を転写する熱転写システムにおいて、
前記転写シートを送り出す送出部と、
前記送出部の下流側に配設され、前記転写シートの前記支持層側に設けられた第１加熱体を有し、前記転写シートの前記保護層を前記被転写体に対して転写する転写装置と、
前記転写装置の下流側に配設され、転写済の前記転写シートを巻取る巻取部とを備え、
前記巻取部の近傍に設けられ、前記保護層が転写された前記転写シートを前記支持体側から加熱する第２加熱体を有する加熱装置とを備え、
前記加熱装置の前記第２加熱体は前記支持層を加熱押圧して前記支持層に残る凹凸状の情報を消去する、熱転写システム。
【請求項２】
前記転写シートは予め印刷が施された被転写体に対して保護層を転写する、請求項１記載の熱転写システム。
【請求項３】
前記転写シートは支持層と保護層と予め印刷が施された受容層とを有する中間転写シートからなり、前記転写シートは前記被転写体に対して前記受容層と前記保護層を転写する、請求項１記載の熱転写システム。
【請求項４】
転写シートは支持層と、この支持層上に設けられた印刷層および前記保護層とを有し、
前記転写シートは、前記被転写体に対して前記印刷層により印刷を施すとともに、前記保護層を転写する、請求項１記載の熱転写システム。
【請求項５】
前記第２加熱体は回転型のヒートローラからなる、請求項１乃至４のいずれか記載の熱転写システム。
【請求項６】
前記第２加熱体は非回転型のヒートブロックからなる請求項１乃至４のいずれか記載の熱転写システム。
【請求項７】
前記転写装置と前記巻取部との間に、前記転写シートに対して物理的に傷を付ける手段を設けた、請求項１乃至６のいずれか記載の熱転写システム。
【発明の詳細な説明】
【技術分野】
【０００１】
本発明は、支持層と保護層とを有する転写シートを用いて被転写体に保護層を転写する熱転写システムに関する。
【背景技術】
【０００２】
インクリボンを用いて、カードなどの被転写体に文字などの像を印字する転写システムが、広く普及している。インクリボンは、帯状に延びるリボン（支持層）と、リボン上に形成され、染料等を含んだインク層と、を有している。インクリボンを用いた印字においては、印字されるべき所望の像に対応したパターンで、インクが被転写体に転写される。
【０００３】
次に、支持層と、保護層とを有する転写シートを用いて、インクが転写された被転写体上に保護層が転写される。このとき、転写済の転写シートに印字された像に対応するパターンが保護層を介して残ることがある。この場合は転写済の転写シートから印字された像を特定することが可能となる。
【０００４】
従って、インクリボンを用いて、被転写体にＩＤ情報などの秘匿すべき情報を印字する場合、転写済の転写シートの取り扱いに注意が必要となる。
【０００５】
このような問題に対応するため、例えば特許文献１において、インクリボンに残る情報を特定することを防止する技術は開発されているが、保護層が転写された後の転写シートから印字された像を特定することを防止する技術は開発されていない。
【先行技術文献】
【特許文献】
【０００６】
【特許文献１】特開２００８−４９６６３号公報
【発明の概要】
【発明が解決しようとする課題】
【０００７】
本発明は、このような点を解決するためになされたものであり、被転写体に保護層が転写された後の転写シートから、印字された像を特定することが困難となる熱転写システムを提供することを目的とする。
【課題を解決するための手段】
【０００８】
本発明は、少なくとも支持層と保護層とを有する転写シートを用いて、被転写体に対して保護層を転写する熱転写システムにおいて、前記転写シートを送り出す送出部と、前記送出部の下流側に配設され、前記転写シートの前記支持層側に設けられた第１加熱体を有し、前記転写シートの前記保護層を前記被転写体に対して転写する転写装置と、前記転写装置の下流側に配設され、転写済の前記転写シートを巻取る巻取部とを備え、前記巻取部の近傍に設けられ、前記保護層が転写された前記転写シートを前記支持体側から加熱する第２加熱体を有する加熱装置とを備え、前記加熱装置の前記第２加熱体は前記支持層を加熱押圧して前記支持層に残る凹凸状の情報を消去する、熱転写システムである。
【０００９】
本発明は、前記転写シートは予め印刷が施された被転写体に対して保護層を転写する、熱転写システムである。
【００１０】
本発明は、前記転写シートは支持層と保護層と予め印刷が施された受容層とを有する中間転写シートからなり、前記転写シートは前記被転写体に対して前記受容層と前記保護層を転写する、熱転写システムである。
【００１１】
本発明は、転写シートは支持層と、この支持層上に設けられた印刷層および前記保護層とを有し、前記転写シートは、前記被転写体に対して前記印刷層により印刷を施すとともに、前記保護層を転写する、熱転写システムである。
【００１２】
本発明は、前記第２加熱体は回転型のヒートローラからなる、熱転写システムである。
【００１３】
本発明は、前記第２加熱体は非回転型のヒートブロックからなる熱転写システムである。
【００１４】
本発明は、前記転写装置と前記巻取部との間に、前記転写シートに対して物理的に傷を付ける手段を設けた、熱転写システムである。
【発明の効果】
【００１５】
本発明によれば、巻取部の近傍に、転写済の転写シートを支持層側から加熱する第２加熱体を有する加熱装置が設けられている。このことにより、支持層に被転写体から保護層を介して印字されたパターンが形成されていても、このパターンを消去することができる。
【図面の簡単な説明】
【００１６】
【図１】図１は、本発明の実施の形態における熱転写システムを示す図。
【図２】図２は、転写シートを示す断面図。
【図３】図３（ａ）（ｂ）（ｃ）は、本発明の作用を示す図。
【図４】図４は、熱転写システムの変形例を示す図。
【図５】図５は、熱転写システムの変形例を示す図。
【図６】図６は、熱転写システムの変形例を示す図。
【図７】図７は、熱転写システムの変形例を示す図。
【図８】図８は、熱転写システムの他の変形例を示す図。
【図９】図９は、熱転写システムの他の変形例を示す図。
【図１０】図１０（ａ）（ｂ）は、昇華リボンを各々示す平面図および断面図。
【図１１】図１１（ａ）（ｂ）は、溶融リボンを各々示す平面図および断面図。
【図１２】図１２は、中間転写シートを示す断面図。
【図１３】図１３は、中間転写シートが剥離される状態を示す図。
【発明を実施するための形態】
【００１７】
＜本発明の実施の形態＞
以下、図１乃至図３を参照して、本発明の第１の実施の形態について説明する。はじめに図１を参照して、熱転写システム１０の全体構造について説明する。
【００１８】
＜熱転写システム＞
図１に示すように、熱転写システム１０は、少なくとも支持層１と保護層３とを有する転写シート１３を用いてＩＣカード等の被転写体１４に保護層３を転写するものであり、このような熱転写システム１０は、矢印Ｒ１で示す方向に転写シート１３を送り出す送出部１６と、送出部１６の下流側に配置された転写装置１７と、転写装置１７の下流側に配置され、矢印Ｒ２で示す方向に転写済の転写シート１３を巻き取る巻取部２１と、巻取部２１の近傍に設けられ、転写済の転写シート１３を支持層１側から加熱する加熱装置２２と、を備えている。図１に示すように、転写シート１３は、複数のガイドローラ１５に沿って搬送される。また被転写体１４は搬送ローラ１５Ａによって、転写装置１７まで送られる。
【００１９】
図１に示すように、転写装置１７は、被転写体１４を支持するプラテンロール１９と、転写シート１３および被転写体１４を挟んでプラテンロール１９と対向するよう設けられた第１加熱体１８、例えばサーマルヘッドと、を有している。図１に示すように、第１加熱体１８は、転写シート１３の支持層１側に設けられている。この第１加熱体１８により、転写シート１３の保護層３が加熱され、これによって、転写シート１３の保護層３が被転写体１４に対して転写される。ここでサーマルヘッドとは、一般的な複数の発熱素子を有する端面ヘッド、平面ヘッドのような加熱手段をいう。
【００２０】
具体的には、転写シート１３は図２に示すように支持層１と、離型層２と、保護層３と、中間層４と、接着層５とを有するが、上述のように転写シート１３は少なくともＰＥＴ製の支持層１と、一般的な熱可塑性樹脂、ＵＶ硬化樹脂、熱硬化性樹脂製の保護層３とを有していればよく、離型層２と中間層４と接着層５は必要に応じて設けることも可能である。また、必要に応じて、支持層１の背面に背面層（図示せず）を設けてもよい。本発明においては、支持層１の厚みは４μｍ以上２５μｍ以下、背面層の塗布量は０．０１ｇ／ｍ２以上１ｇ／ｍ２以下、離型層２の塗布量は０．００１ｇ／ｍ２以上１ｇ／ｍ２以下、保護層３の塗布量は０．５ｇ／ｍ２以上１５ｇ／ｍ２以下、接着層５の塗布量は０．１ｇ／ｍ２以上３ｇ／ｍ２以下、の範囲として使用することができる。
【００２１】
また図１に示すように、転写装置１７の上流側には、ＩＣカード等の被転写体１４に予め文字または画像等を印字する溶融転写ユニット２５が配置されており、この溶融転写ユニット２５により被転写体１４には予め文字、顔画像等がインクリボンを用いた溶融転写により設けられている。
【００２２】
なお、溶融転写ユニット２５を設ける代わりに、インクリボンを用いた昇華転写により顔画像を被転写体１４に形成する昇華転写ユニット２６と、インクリボンを用いた溶融転写により文字を被転写体１４に形成する溶融転写ユニット２５Ａを設けてもよい。
【００２３】
あるいはまた、溶融転写ユニット２５を設ける代わりに、インクジェットにより文字または画像を被転写体１４に形成するインクジェットユニット２７を設けてもよい。
【００２４】
＜巻取装置＞
次に、熱転写システム１０の巻取装置２０について詳細に説明する。上述のとおり、巻取装置２０は、転写済の転写シート１３を巻き取るロール状の巻取部２１と、巻取部２１の上方近傍に設けられ、転写済の転写シート１３を支持層１側から加熱する加熱装置２２と、を有している。このうち加熱装置２２は、ロール形状の発熱体（ヒートローラ）からなる第２加熱体２３と、第２加熱体２３を矢印で示す方向において回動可能に支持する支持機構（図示せず）と、を含んでいる。加熱装置は上下に駆動し必要に応じて加熱する機構であればよい。たとえば、巻取り時の上方にあるが、加熱時は巻取部２１の転写シート１３に密着させ効率的に加熱し、加熱不要の時は上方で待機できる機構でもよい。
【００２５】
（巻取部）
図１に示すように、本実施の形態の巻取部２１においては、転写シート１３の支持層１が巻き取られる。
【００２６】
次に、このような構成からなる本実施の形態の作用について説明する。ここでは、熱転写システム１０の溶融転写ユニット２５により、インクリボンを用いて被転写体１４にＩＤ情報が印字されて印字部１４ａを形成し、その後、印字部１４ａが形成された被転写体１４上に転写シート１３の保護層３が転写される作用について説明する。
【００２７】
印字部１４ａが形成された被転写体１４は転写装置１７に向けて搬送される。一方、図１に示すように、転写シート１３を、送出部１６から転写装置１７に向けて送り出す。
【００２８】
被転写体１４が転写装置１７の第１加熱体１８とプラテンロール１９との間に到達すると、第１加熱体１８が転写シート１３を加熱しながら被転写体１４に対して押し付ける。これによって、転写シート１３の中間層４と保護層３が接着層５を介して被転写体１４上に転写される。このことにより、被転写体１４上の印字部１４ａが保護層３により保護される。
【００２９】
転写装置１７を経た後の転写済の転写シート１３は、支持層１と離型層２とを含み、巻取装置２０の巻取部２１により巻き取られる。そして、巻取部２１によって転写済の転写シート１３が巻き取られている状態において、加熱装置２２により、転写シート１３の支持層１が加熱される。
【００３０】
次に加熱装置２２により転写シート１３の支持層１を加熱する作用について図３（ａ）〜（ｃ）により説明する。
【００３１】
図３（ａ）に示すように、被転写体１４上に印字部１４ａが形成されると、被転写体１４上には印字部１４ａにより凹凸形状が形成される。次にこの被転写体１４が、転写装置１７に搬送され、被転写体１４上に転写シート１３が加熱押圧されて、被転写体１４に転写シート１３の接着層５，中間層４、および保護層３が転写される。
【００３２】
なお、図３（ａ）〜（ｃ）において、転写シート１３は支持層１と保護層３のみを有する転写シート１３であってもよい。
【００３３】
転写装置１７において、被転写体１４上に接着層５，中間層４、および保護層３が転写されると、保護層３に印字部１４ａの凹凸形状に対応する凹凸形状が形成され、同様に転写シート１３の支持層１にも印字部１４ａの凹凸形状に対応する凹凸形状が形成される（図３（ｂ）参照）。
【００３４】
転写装置１７において転写シート１３を被転写体１４に加熱押圧することにより接着層５，中間層４、および保護層３を被転写体１４に転写した場合、支持層１には接着層５，中間層４、および保護層３を介して印字部１４ａの凹凸形状に対応する凹凸形状が形成される。そしてこの支持層１の凹凸形状に基づいて被転写体１４上の印字部１４ａのパターンを外部から読み取ることが可能となる。
【００３５】
本実施の形態によれば巻取部２１に巻取られた転写シート１３の支持層１および離型層２を第２加熱体２３により加熱押圧する。このことにより支持層１に熱収縮を生じさせ、この熱収縮により支持層１に新たなしわを発生させることができる。このため新たなしわにより、印字部１４ａのパターンに対応する凹凸形状を消去することができ、支持層１から印字部１４ａのパターンに対応する凹凸形状を外部から読み取ることが不可能となる（図３（ｃ）参照）
＜本発明の変形例＞
次に図４乃至図７により本発明の変形例について説明する。
【００３６】
図１に示す実施の形態において、巻取部２１の上方近傍に第２加熱体２３を有する加熱装置２２を設けた例を示したが、これに限らず図４に示すように巻取部２１の側方近傍に第２加熱体２３を有する加熱装置２２を設けても良い。
【００３７】
図４に示す変形例において、他の部分は図１乃至図３に示す実施の形態と略同一である。
【００３８】
図４に示す変形例において、図１乃至図３に示す実施の形態と同一部分には同一符号を付して詳細な説明は省略する。
【００３９】
あるいは図１に示す実施の形態において、転写装置１７としてサーマルヘッドからなる第１加熱体１８を設けた例を示したが、これに限らず図５に示すように第１加熱体１８としてヒートローラを有する加熱体を用いてもよい。ここでヒートローラとは、ヒータが内蔵されているロール形状をもつ回転式の加熱手段のことをいう。ヒータとしては、ＩＨ方式のヒータ、ハロゲンランプなどを用いることができる、ローラの材質は、金属又は耐熱樹脂でコーティングしてもよく、特に制限はない。
【００４０】
図５に示す変形例において、他の部分は図１乃至図３に示す実施の形態と略同一である。
【００４１】
図５に示す変形例において、図１乃至図３に示す実施の形態と同一部分には同一符号を付して詳細な説明は省略する。
【００４２】
あるいは、図１に示す実施の形態において、巻取部２１の上方近傍にヒートローラからなる第２加熱体２３を有する加熱装置２２を設けるとともに、転写装置１７としてサーマルヘッドからなる第１加熱体１８を設けた例を示したが、これに限らず図６に示すように巻取部２１の上方近傍にヒートブロックからなる第２加熱体２３を有する加熱装置２２を設けるとともに、転写装置１７としてヒートブロックからなる第１加熱体１８を設けてもよい。ここでいうヒートブロックとは、ヒートローラのような回転式のものではなく、ブロック形状をもち、内部にヒータが内蔵され、非加熱体に対して押圧して加熱するブロック状の加熱手段、または内部にヒータが内蔵され、非加熱体に対して摺動して加熱するブロック状の加熱手段を含む。
【００４３】
図６に示す変形例において、他の部分は図１乃至図３に示す実施の形態と略同一である。
【００４４】
あるいはまた、図６に示す変形例において、図１乃至図３に示す実施の形態と同一部分には同一符号を付して詳細な説明は省略する。
【００４５】
図１に示す実施の形態において、巻取部２１の上方近傍にヒートローラからなる第２加熱体２３を有する加熱装置２２を設けるとともに、転写装置１７としてサーマルヘッドからなる第１加熱体１８を設けた例を示したが、これに限らず図７に示すように巻取部２１の上方近傍にヒートブロックからなる第２加熱体２３を有する加熱装置２２を設けるとともに、転写装置１７としてヒートブロックからなる第１加熱体１８を設けてもよい。
【００４６】
図７に示す変形例において、他の部分は図１乃至図３に示す実施の形態と略同一である。
【００４７】
図７に示す変形例において、図１乃至図３に示す実施の形態と同一部分には同一符号を付して詳細な説明は省略する。
【００４８】
また図７に示すように、転写装置１７と巻取部２１との間に、転写シート１３に物理的に傷をつける手段、例えば歯車又はローラカッター２９が設けられている。図７において、転写装置１７から送られる転写シート１３に対して歯車又はローラカッター２９によって傷をつけることにより、転写シート１３の支持層１に印字部１４ａの凹凸形状に対応して形成された凹凸形状を更に確実に消去することができる。
【００４９】
＜発明の他の変形例＞
次に図８乃至図１２により本発明の他の変形例について説明する。
【００５０】
図８乃至１２に示す変形例は、被転写体１４に中間転写シート３０を用いて印字部５ａを印字するものである。
【００５１】
図８に示すように、熱転写システム１０は、ＩＣカード等の被転写体１４に印字部５ａを有する受容層兼接着層５、中間層４および保護層３を転写するものであり、このような熱転写システム１０は、中間転写シート３０を用いて被転写体１４に印字部５ａを印字し、被転写体１４に保護層３を転写するようになっている。
【００５２】
ここで中間転写シート３０は図１２に示すように、支持層１と、離型層２と、保護層３と、中間層４と、受容層兼接着層５とを有する。
【００５３】
このような熱転写システムは中間転写シート３０を送り出す送出部１６Ａと、中間転写シート３０の受容層兼接着層５にインクリボン３１を用いて印字部５ａを印字する前段転写装置１７Ｂと、前段転写装置１７Ｂの下流側に設けられ、中間転写シート３０を被転写体１４に転写する転写装置１７Ａと、転写済の中間転写シート３０を巻取る巻取部２１Ａとを備えている。
【００５４】
このうち前段転写装置１７Ｂはサーマルヘッドからなる前段第１加熱体１８Ｂと、前段第１加熱体１８Ｂに対向して設けられたプラテンロール１９Ｂとを有する。
【００５５】
また前段転写装置１７Ｂへは送出部１６Ｂからインクリボン３１が送られ、前段転写装置１７Ｂで転写された転写済のインクリボン３１は巻取部２１Ｂに巻取られる。さらに、巻取部２１Ｂに巻き取られたインクリボン３１は、ヒートブロック２１Ｃにより加熱されて、インクリボン３１に残るパターンが消去される。
【００５６】
また転写装置１７Ａはヒートローラからなる第１加熱体１８Ａと、第１加熱体１８Ａに対向して設けられたプラテンロール１９Ａとを有している。
【００５７】
さらに巻取部２１Ａの左方近傍には、ヒートローラからなる第２加熱体２３Ａを含む加熱装置２２Ａが設けられている。
【００５８】
次に送出部１６Ｂから送り出されるインクリボン３１の構造を図１０（ａ）（ｂ）および図１１（ａ）（ｂ）により説明する。
【００５９】
インクリボン３１は図１０（ａ）（ｂ）に示すように、支持層３１ａと、支持層３１ａ上に設けられたＹ層（イエロー層）、Ｍ層（マゼンタ層）、Ｃ層（シアン層）、ＯＰ層（保護層）を含むインク層３１ｂと、支持層３１ａの背側に設けられた背面層３１ｃとを有する昇華リボンからなる。図１１（ａ）（ｂ）に示すように、インクリボン３１は支持層３１ａと、支持層３１ａ上に設けられたＹ層、Ｍ層、Ｃ層、Ｋ層（ブラック層）、ＯＰ層（保護層）を含むインク層３１ｂと、支持層３１ａの背面に設けられた背面層３１ｃとを有する溶融リボンからなっていてもよい。
【００６０】
図８に示す変形例において、送出部１６Ａから中間転写シート３０が前段転写装置１７Ｂに送られると、この前段転写装置１７Ｂにおいて、中間転写シート３０の受容層兼接着層５にインクリボン３１のインク層３１ｂが転写され、所望パターンをもって受容される（印字される）。
【００６１】
次に転写済のインクリボン３１は巻取部２１Ｂに巻取られる。
【００６２】
他方、印字により形成された印字部５ａを有する中間転写シート３０は転写装置１７Ａに送られ、この転写装置１７Ａにおいて中間転写シート３０が第２加熱体２３Ａにより加熱され中間転写シート３０が被転写体１４に転写される。次に転写済の中間転写シート３０は巻取部２１Ａに巻取られる。
【００６３】
巻取部２１Ａに巻取られた中間転写シート３０は、離型層２を介して保護層３から離型された支持層１を含む（図１３参照）。
【００６４】
巻取部２１Ａに巻取られた中間転写シート３０は支持層１を含むとともに、この支持層１１には保護層３を介して印字部５ａの凹凸パターン形状に対応する凹凸形状が形成されている（図３（ａ）〜（ｃ）参照）。
【００６５】
本変形例においては、巻取部２１Ａに巻取られた中間転写シート３０の支持層１を第２加熱体２３Ａで加熱することにより、支持層１に熱収縮を生じさせ、この熱収縮により支持層１に新たなしわを発生させることができる。このことにより、印字部５ａの凹凸パターンに対応して支持層１に形成された凹凸形状を消去することができる。また、巻取部２１Ｂに巻き取られたインクリボン３１は、ヒートブロック２１Ｃにより加熱されて、インクリボン３１に残るパターンが消去される。
【００６６】
なお、図８に示す本発明の変形例において加熱装置２２Ａの第２加熱体２３Ａとしてヒートローラを用いる例を示したが、これに限らず加熱装置２２Ａの第２加熱体２３Ａとしてヒートブロックからなる加熱体を用いてもよい（図９参照）。
【００６７】
また図１乃至図７に示す実施の形態において、被転写体１４上に予め溶融転写ユニット２５等により印字部１４ａが形成され、被転写体１４上に少なくとも支持層１と保護層３とを有する転写シート１３を転写して被転写体１４上に保護層３を設ける例を示したが、これに限らず被転写体１４に予め印字部１４ａを形成することなく、転写シート１３として支持層１と、支持層１上に設けられたＹ層、Ｍ層、Ｃ層、ＯＰ層（保護層）３を含むインク層とを有する転写シートを用い、この転写シート１３により、被転写体１４上に転写シート１３の印刷層としてのＹ層、Ｍ層、Ｃ層により印字部１４ａを印字し、被転写体１４上の印字部１４ａ上を覆って保護層を設けてもよい。
【００６８】
この場合も、転写シート１３の支持層１に被転写体１４上の印字部１４ａの凹凸形状に対応するパターンがＯＰ層（保護層）３を介して形成されることも考えられる。
【００６９】
本実施の形態によれば、転写済の転写シート１３を巻取部２１で巻取り、巻取部２１に巻取られた転写シート１３の支持層１を第２加熱体２３で加熱することにより、支持層１に残るパターンの消去が可能となる。
【符号の説明】
【００７０】
１      支持層
２      離型層
３      保護層
４      中間層
５      接着層、受容層兼接着層
５ａ    印字部
１０    熱転写システム
１３    転写シート
１４    被転写体
１５    ガイドローラ
１６    送出部
１７    転写装置
１７Ａ  転写装置
１７Ｂ  前段転写装置
１８    第１加熱体
１８Ａ  第１加熱体
１８Ｂ  前段第１加熱体
１９    プラテンロール
１９Ａ  プラテンロール
１９Ｂ  前段プラテンロール
２０    巻取装置
２１    巻取部
２２    加熱装置
２２Ａ  加熱装置
２３    第２加熱体
２３Ａ  第２加熱体
２５    溶融転写ユニット
２５Ａ  溶融転写ユニット
２６    昇華転写ユニット
２７  インクジェットユニット
３０  中間転写シート
３１  インクリボン
【図１】
2018043445.tif 000003
【図２】
2018043445.tif 000004
【図３】
2018043445.tif 000005
【図４】
2018043445.tif 000006
【図５】
2018043445.tif 000007
【図６】
2018043445.tif 000008
【図７】
2018043445.tif 000009
【図８】
2018043445.tif 000010
【図９】
2018043445.tif 000011
【図１０】
2018043445.tif 000012
【図１１】
2018043445.tif 000013
【図１２】
2018043445.tif 000014
【図１３】
2018043445.tif 000015